(57)【要約】【課題】剥離開始箇所を指で触って感知できるとともに簡単に剥離させて隠蔽情報を見ることができる３つ折り隠蔽葉書を提供することである。【解決手段】上紙片と中紙片と下紙片とが折目線を介して連接された帳票を前記折目線にてＺ状に３つ折りして各紙片間が接着された隠蔽葉書において、上紙片の端縁が中紙片と下紙片間の折目より外側に延出し、下紙片の端縁が上紙片と中紙片間の折目より外側に延出しており、下紙片の延出した端縁の下方部に切欠が形成されるとともに中紙片と下紙片間が剥離可能に接着された構成の３つ折り隠蔽葉書である【選択図】        図１
2004314462.tif 000002
【特許請求の範囲】
【請求項１】
上紙片と中紙片と下紙片とが折目線を介して連接された帳票を前記折目線にてＺ状に３つ折りして各紙片間が接着された隠蔽葉書において、上紙片の端縁が中紙片と下紙片間の折目より外側に延出し、下紙片の端縁が上紙片と中紙片間の折目より外側に延出しており、下紙片の延出した端縁の下方部に切欠が形成されるとともに中紙片と下紙片間が剥離可能に接着された構成からなることを特徴とする３つ折り隠蔽葉書。
【請求項２】
上紙片の延出した端縁の下方部に切欠が形成されるとともに上紙片と中紙片間が剥離可能に接着された構成からなることを特徴とする請求項１記載の３つ折り隠蔽葉書。
【請求項３】
上紙片の端縁部に沿って複数の窓が形成され、前記窓を通して中紙片に印刷された固定情報の文字が表出する構成からなることを特徴とする請求項２記載の３つ折り隠蔽葉書。
【発明の詳細な説明】
【０００１】
【発明の属する技術分野】
本発明は、隠蔽葉書を剥離させる剥離開始部を指で触ることにより感知することができ且つ簡単に接着部を剥離させて隠蔽情報を見ることができる３つ折り隠蔽葉書に関する。
【０００２】
【従来の技術】
従来、３つ折り隠蔽葉書としては、同じ巾の上紙片と中紙片と下紙片とが折目線を介して連接された帳票を折目線にてＺ状に３つ折りして中紙片と下紙片間を剥離可能に接着し、下紙片の折目線と対向する側端の下側の角部に、下紙片を中紙片から剥離して見開くための三角形状の開封用切欠が形成された構成の隠蔽葉書、ないしは、狭巾の上紙片と中紙片と下紙片とが折目線を介して連接された帳票を折目線にてＺ状に３つ折りして中紙片と下紙片間が剥離可能に接着され、上紙片の折目線と対向する側端に沿って中紙片が表出しており、下紙片の折目線と対向する側端の下側の角部に、下紙片を中紙片から剥離して見開くための三角形状の開封用切欠が形成された構成の隠蔽葉書（例えば、特許文献１参照）が知られている。しかしながら、上記のような構成の隠蔽葉書では、開封用切欠が下紙片の側端の下側の角部に三角形状に形成されている構成であるため、指で触っただけでは開封用切欠の箇所が判り難く、且つ開封用切欠が小さいため切欠に対応する中紙片を掴んで中紙片と下紙片を剥離させるのが難いという欠点がある。
【０００３】
【特許文献１】
特開平１０−１９３８４０号公報（〔０００９〕、〔００１５〕）
【０００４】
【発明が解決しようとする課題】
本発明は、隠蔽葉書を指で触っただけで剥離させて見開く剥離開始箇所を簡単に見つけることができるとともに、隠蔽葉書の接着部を簡単に剥離できるようにした３つ折り隠蔽葉書を提供することである。
【０００５】
【課題を解決するための手段】
上紙片と中紙片と下紙片とが折目線を介して連接された帳票を前記折目線にてＺ状に３つ折りして各紙片間が接着された隠蔽葉書において、上紙片の端縁が中紙片と下紙片間の折目より外側に延出し、下紙片の端縁が上紙片と中紙片間の折目より外側に延出しており、下紙片の延出した端縁の下方部に切欠が形成されるとともに中紙片と下紙片間が剥離可能に接着された構成とすることにより、隠蔽葉書の側端を指で触ることにより切欠が形成された中紙片と下紙片間の剥離開始箇所を簡単に感知できるとともに、中紙片と下紙片間の接着部を剥離させることが容易な、横方向に２倍の巾に見開ける葉書２頁分の隠蔽情報をプリントできる隠蔽葉書とすることができる。
【０００６】
上記の３つ折り隠蔽葉書において、上紙片の延出した端縁の下方部に切欠が形成されるとともに上紙片と中紙片間が剥離可能に接着された構成とすることにより、隠蔽葉書の両側端を指で触ることにより切欠が形成された上紙片と中紙片間の剥離開始箇所及び中紙片と下紙片間の剥離開始箇所を簡単に感知できるとともに、上紙片と中紙片間の接着部及び中紙片と下紙片の接着部を剥離させるのが容易な、横方向に３倍の巾に見開ける表裏両面で葉書４頁分の隠蔽情報をプリントできる隠蔽葉書とすることができる。
【０００７】
上記の３つ折り隠蔽葉書において、上紙片の端縁部に沿って複数の窓が形成され、前記窓を通して中紙片に印刷された固定情報の文字が表出する構成とすることにより、中紙片を葉書本体とした３つ折り隠蔽葉書とすることができる。
【０００８】
【発明の実施の形態】
以下、図面に基づいて本発明の実施の形態を説明する。
図１は本発明の第１実施形態を示す平面図、図２は図１のＩ−Ｉ線断面図、図３は第１実施形態の展開した状態を示す平面図、図４は本発明の第２実施形態を示す平面図、図５は図４のＩＩ−ＩＩ線断面図、図６は第２実施形態の展開した状態を示す平面図、図７は本発明の第３実施形態を示す平面図、図８は第１実施形態の３つ折り隠蔽葉書を作製するための連続帳票を示す平面図、図９は図８に示す連続帳票を流れ方向にＺ状に３つ折りした状態の平面図であり、１は上紙片、２は中紙片、３は下紙片、４ａ，４ｂは折目線、５ａ，５ｂは切欠、６は剥離可能接着部、６’は強接着部、７は窓、８はスリット線、９はカット線、１０は円形切欠、１１は送り孔、１２は固定情報、１３は個人情報、１４は隠蔽情報をそれぞれ表す。
【０００９】
本発明の第１実施形態は、平面図が図１に横断面図が図２にそれぞれ示されているとおりであり、Ｚ状に３つ折りして折り重ねられた上紙片１と中紙片２と下紙片３とが、中紙片２と下紙片３間が剥離可能接着部６により接着され、上紙片１と中紙片２間が強接着部７により接着され、上紙片１と下紙片３の左右方向の巾が中紙片２の左右方向の巾より広くされて、上紙片１の端縁が中紙片２と下紙片３間の折目線４ｂより外側に延出するとともに下紙片３の端縁が中紙片２と上紙片１間の折目線４ａより外側に延出しており、下紙片３の端縁の下方部に半円形状の切欠５ｂが形成されている構成であり、上紙片１の表面には固定情報１２が印刷されるとともに個人情報１３がプリントされている。
【００１０】
第１実施形態の横方向の断面形状は、図２に示すように、上紙片１と中紙片２と下紙片３とが折目線４ａと折目線４ｂにてＺ状に３つ折りして折り重ねられ、中紙片２と下紙片３間が剥離可能接着部６により剥離可能に接着され、上紙片１と中紙片２間は強接着部６’により剥離不能に接着されている。上紙片１と下紙片３の左右方向の巾が中紙片２の左右方向の巾より広くされており、上紙片１と下紙片３の端縁部がそれぞれ折目線４ａないし折目線４ｂより外側に延出している。
【００１１】
第１実施形態の３つ折り隠蔽葉書の展開した状態の表面は、図３に示すとおりであり、上紙片１と中紙片２と下紙片３がそれぞれ折目線４ａと折目線４ｂにて連接された帳票からなり、下紙片３の折目線４ｂと対向する側端の下方部に半円形状の切欠５ｂが形成されている。上紙片１の表面の上部には「郵便はがき」の文字、郵便番号記入欄等の固定情報１２が印刷されており、上紙片１の表面の中央部には郵便番号、送付先住所、宛て名等の個人情報１３がデータ出力によりプリントされており、Ｚ状に３つ折りされた際に隠蔽される中紙片２と下紙片３の表面には隠蔽情報１４がデータ出力によりプリントされている。
【００１２】
第１実施形態の図３に示す帳票を作製する紙素材としては、紙基体の一方の面には感圧接着剤の塗布量を少なくした感圧接着剤層が設けられるとともに他方の面には感圧接着剤の塗布量を多くした感圧接着剤層が設けられた構成のものが使用され、紙素材の感圧接着剤の塗布量を少なくした感圧接着剤層が設けられた面に固定情報１２が印刷されるとともに個人情報１３と隠蔽情報１４がプリントされ、上紙片１の固定情報１２が印刷され個人情報１３がプリントされた面が表面となるように、上紙片１と中紙片２と下紙片３を折目線４ａ及び折目線４ｂにてＺ状に３つ折りして加圧ロールを通してプレスすることにより、中紙片２と下紙片３間を剥離可能にまた上紙片１と中紙片２間を剥離不能に接着した３つ折り隠蔽葉書が得られる。
【００１３】
本発明の第２実施形態は、平面図が図４に横断面図が図５にそれぞれ示されているとおりであって、Ｚ状に３つ折りして折り重ねられた上紙片１と中紙片２と下紙片３との対向する紙片間が剥離可能接着部６により接着され、上紙片１と下紙片３の左右方向の巾が中紙片２の左右方向の巾より広くされて、上紙片１の端縁及び下紙片３の端縁がそれぞれ折目線４ｂないしは折目線４ａより外側に延出しており、上紙片１及び下紙片３の端縁の下方部に半円形状の切欠５ａ及び切欠５ｂが形成されている構成であり、上紙片１の表面には固定情報１２が印刷されるとともに個人情報１３がプリントされている。
【００１４】
第２実施形態における展開した状態の表面は、図６に示すように、上紙片１と中紙片２と下紙片３がそれぞれ折目線４ａと折目線４ｂにて連接された帳票からなり、上紙片１の折目線４ａと対向する側端の下方部及び下紙片３の折目線４ｂと対向する側端の下方部にそれぞれ半円形状の切欠５ａ、切欠５ｂが形成されている。上紙片１の表面には「郵便はがき」の文字、郵便番号記入欄等の固定情報１２が印刷されるとともに、郵便番号、送付先住所、宛て名等の個人情報１３がデータ出力によりプリントされており、Ｚ状に３つ折りされた際に隠蔽される中紙片２と下紙片３の表面には隠蔽情報１４がデータ出力によりプリントされている。
【００１５】
第２実施形態の図６に示す帳票を作製する紙素材としては、紙基体の両方の面に感圧接着剤の塗布量を少なくした感圧接着剤層が設けられた構成のものが使用され、紙素材の一方の面に固定情報１２が印刷されるとともに個人情報１３と隠蔽情報１４がプリントされ、上紙片１の固定情報１２が印刷され個人情報１３がプリントされた面が表面となるように、上紙片１と中紙片２と下紙片３を折目線４ａ及び折目線４ｂにてＺ状に３つ折りして加圧ロールを通してプレスすることにより、上紙片１と中紙片２間及び中紙片２と下紙片３間を剥離可能接着部にて接着した３つ折り隠蔽葉書が得られる。
【００１６】
本発明の第３実施形態は、平面図が図７に示されているとおりであって、上紙片１の端縁部に沿って複数の窓７が形成されており、上紙片１と中紙片２と下紙片３をＺ状に３つ折りして折り重ねられた際に、中紙片２の裏面に印刷された「郵便はがき」の文字が上紙片１の端縁部に沿って形成された窓７から表出するようにされている点で異なる以外は、基本的には第２実施形態と同じ構成であり、上紙片１の表面には、郵便番号記入欄等の固定情報１２が印刷されとともに、郵便番号、送付先住所、宛て名等の個人情報１３がプリントされている。第２実施形態の展開した状態は図示しないが、上紙片の端縁部に沿って複数の窓が形成され、中紙片の裏面の中紙片と下紙片間の折目線の近傍に、折り畳んだ際に上紙片の端縁部に沿って形成された複数の窓に対応するように「郵便はがき」の文字が印刷されている以外は、第２実施形態と同じである。
【００１７】
第１〜３実施形態の３つ折り隠蔽葉書の場合、隠蔽葉書の側端部を指で触ることにより切欠５ａ及び切欠５ｂの箇所が容易に感知できるので、隠蔽葉書を剥離開始させる箇所が判りやすくなるとともに、下紙片３ないしは上紙片１及び下紙片３を剥離させる際に、上紙片１と下紙片３の端縁が折目線４ｂないし折目線４ａより外側へ延出しており、延出した部分を指で掴んで剥離できるので上紙片１ないしは下紙片３を剥離させるのが容易となる。
【００１８】
第１〜３実施形態の３つ折り隠蔽葉書において、上紙片１及び下紙片３の幅は中紙片２の巾より２〜５ｍｍ大きくするのが好ましく、また、上紙片１及び／又は下紙片３の端縁に形成する切欠の深さは３〜６ｍｍとするのが好ましい。切欠の形状は実施形態では半円形状としているが、形状は任意であり、３角形状、４角形状、Ｕ字状等とすることができる。
【００１９】
第１実施形態の３つ折り隠蔽葉書は、例えば、下記の方法により製造することができる。紙基体の一方の面に感圧接着剤の塗布量を少なくした感圧接着剤層を形成するとともに他方の面に感圧接着剤の塗布量を多くした感圧接着剤層を形成した所定巾を有する連続用紙を使用し、連続用紙の流れ方向の両側にスリット線８を介して送り孔部１１を形成し、連続用紙の２本のスリット線８間の所定位置に流れ方向に所定間隔をおいて固定情報１２を印刷し、連続用紙の２本のスリット線８間の所定位置に流れに平行方向に上紙片と中紙片と下紙片を区画する２本の折目線４ａと折目線４ｂを形成し、連続用紙の折目線４ｂに近い一方のスリット線８を跨ぐように流れ方向の固定情報１２に対応する位置に所定間隔をおいて円形切欠１０を形成し、固定情報１２に対応する所定位置に個人情報１３と隠蔽情報１４をデータ出力によりプリントすることにより、図８に示すように、連続用紙に２本のスリット線８，８  及び２本の折目線４ａ，４ｂ  が形成されるとともに固定情報１２が印刷され個人情報１３と隠蔽情報１４がデータ出力によりプリントされた状態とする。
【００２０】
次いで、図８に示す連続用紙を、固定情報１２及び個人情報１３が印刷ないしプリントされた面が表面となるように、折目線４ａと折目線４ｂにて流れと平行方向にＺ状に３つ折りして、図９に示す状態とする。図９に示す状態では、両側のスリット線８が折目線４ａないしは折目線４ｂより外側に出ているので、Ｚ状に３つ折りされて折り重ねられた、図９に示す状態で、上紙片１と中紙片２と下紙片３を加圧プレスして各紙片間を接着した後に、両側のスリット線８にて送り孔部１０を切り落とすとともに、カット線９により個々の隠蔽葉書にカットすることができるので、連続工程により効率的に３つ折り隠蔽葉書を製造することが可能となる。
【００２１】
第２実施形態の３つ折り隠蔽葉書を製造方法は、両方の面に感圧接着剤層を塗布量を少なくして塗布した所定巾を有する連続用紙を使用する点、連続用紙の両側の流れ方向に設けられたスリット線を跨ぐように流れ方向の所定位置に所定間隔をおいて円形切欠を形成する点で異なる以外は、第１実施形態の３つ折り隠蔽葉書の製造方法と同じ方法で行うことができる。
【００２２】
第３実施形態の３つ折り隠蔽葉書を製造方法は、「郵便はがき」の文字からなる固定情報を、折目線により区画される中紙片の裏面の所定の位置に印刷する点、折目線により区画される上紙片となる領域のスリット線に沿った位置に複数の窓を形成する点で異なる以外は、第２実施形態の３つ折り隠蔽葉書の製造方法とと同じ方法で行うことができる。
【００２３】
【発明の効果】
本発明のように、上紙片と中紙片と下紙片とが折目線を介して連接された帳票を前記折目線にてＺ状に３つ折りして各紙片間が接着された隠蔽葉書において、上紙片の端縁が中紙片と下紙片間の折目より外側に延出し、下紙片の端縁が上紙片と中紙片間の折目より外側に延出しており、下紙片の延出した端縁の下方部に切欠が形成されるとともに中紙片と下紙片間が剥離可能に接着された構成とすることにより、葉書の側端を指で触ることにより切欠により隠蔽葉書の剥離開始箇所を簡単に感知でき且つ剥離のきっかけを作りやすくなるので隠蔽葉書の剥離が容易となる。この隠蔽葉書は、横方向に２倍の巾に広げることができ葉書２頁分の隠蔽情報をプリントすることができる。
【００２４】
また、３つ折り隠蔽葉書において、上紙片の延出した端縁の下方部に切欠が形成されるとともに上紙片と中紙片間が剥離可能接着部とされている構成とすることにより、葉書の側端を指で触ることにより切欠により隠蔽葉書の上紙片と中紙片及び中紙片と下紙片の剥離開始箇所を簡単に感知できるので隠蔽葉書の剥離が容易となる。この隠蔽葉書は、横方向に３倍の巾に広げることができ表裏に葉書４頁分の隠蔽情報をプリントすることができる。また、上紙片の端縁部に沿って複数の窓を形成し、その窓を通して中紙片に印刷された「郵便はがき」の文字が表出する構成とすることにより、中紙片を葉書本体とした３つ折り隠蔽葉書とすることができる。
【図面の簡単な説明】
【図１】本発明の第１実施形態を示す平面図。
【図２】図１のＩ−Ｉ線断面図。
【図３】第１実施形態の展開した状態を示す平面図。
【図４】本発明の第２実施形態を示す平面図。
【図５】図４のＩＩ−ＩＩ線断面図。
【図６】第２実施形態の展開した状態を示す平面図。
【図７】本発明の第３実施形態を示す平面図。
【図８】第１実施形態の３つ折り隠蔽葉書を作製するための連続帳票を示す平面図。
【図９】図８に示す連続帳票を流れ方向にＺ状に３つ折りした状態の平面図。
【符号の説明】
１  上紙片                        ８  スリット線
２  中紙片                        ９  カット線
３  下紙片                        １０  円形切欠
４ａ，４ｂ    折目線                    １１  送り孔
５ａ，５ｂ    切欠                      １２  固定情報
６  剥離可能接着部                １３  個人情報
６’  強接着部                          １４  隠蔽情報
７  窓
【図１】
2004314462.tif 000003
【図２】
2004314462.tif 000004
【図３】
2004314462.tif 000005
【図４】
2004314462.tif 000006
【図５】
2004314462.tif 000007
【図６】
2004314462.tif 000008
【図７】
2004314462.tif 000009
【図８】
2004314462.tif 000010
【図９】
2004314462.tif 000011